(57)【要約】【課題】スイッチ回路等に故障が生じてもファイバチャネルスイッチ装置の継続運用を可能にする。【解決手段】ファイバチャネルスイッチ装置１は、４つのポート制御部３相互の接続をスイッチ回路２により切り替えている。スイッチング回路２またはポート制御部３が故障すると、切り替え制御部３４は、ポート制御部３の出力をＬＩＰプリミティブに変更する。ＬＩＰプリミティブは当該ポート制御部３に対応して接続されたサーバ装置等のノードに送られ、そのノードを初期化し、当該ポート制御部３へ戻されてくる。各ポート制御部３は、前段のポート制御部３のファイバチャネルからの入力がＬＩＰプリミティブになったならば、セレクタ３８に前段のポート制御部３のファイバチャネルからの入力を選択させ、ファイバチャネルインタフェースへの出力を前段ポートの入力に切り替える。【選択図】      図１
2005210166.tif 000002
【特許請求の範囲】
【請求項１】
ループをなすように関係づけられた複数段のものそれぞれが対応して接続された外部のノードに対しデータを入出力するポート制御部と、
前記ノードから前記ポート制御部のいずれかを通して入力したデータを当該データ内に示された宛先に従って前記ポート制御部の他のいずれかのものへ送出するスイッチング回路と、
前記ポート制御部それぞれにおいて、通常は前記スイッチング回路から送出されたデータを対応する前記ノードへ出力させ、前記ポート制御部のいずれかのものまたは前記スイッチング回路に故障が生じたときに対応する前記ノードを初期化させ、前段の前記ポート制御部に対応する前記ノードが初期化されてから、前段の前記ポート制御部が前記ノードから入力したデータを対応する前記ノードへ出力させる切り替え制御部とを含むことを特徴とするスイッチングハブ装置の故障回避回路。
【請求項２】
ループをなすように関係づけられた複数段のものそれぞれが入力用ファイバチャネルからデータを入力し、出力用ファイバチャネルへデータを出力するポート制御部と、
前記入力用ファイバチャネルから前記ポート制御部のいずれかを通して入力したデータを当該データ内に示された宛先に従って前記ポート制御部の他のいずれかのものへ送出するスイッチング回路と、
前記ポート制御部それぞれにおいて、通常は前記スイッチング回路から送出されたデータを前記出力用ファイバチャネルへ出力させ、前記ポート制御部のいずれかのものまたは前記スイッチング回路に故障が生じたときに、前記出力用ファイバチャネルへＬＩＰプリミティブを出力し前段の前記ポート制御部が前記入力用ファイバチャネルからＬＩＰプリミティブを入力してから前段の前記ポート制御部が前記入力用ファイバチャネルから入力したデータを前記出力用ファイバチャネルへ出力させる切り替え制御部とを含むことを特徴とするファイバチャネルスイッチ装置の故障回避回路。
【請求項３】
ループをなすように関係づけられた複数段のものそれぞれが入力用ファイバチャネルからデータを入力し、出力用ファイバチャネルへデータを出力し、故障が生じたときに故障検出信号を出力するポート制御部と、
前記入力用ファイバチャネルから前記ポート制御部のいずれかを通して入力したデータを当該データ内に示された宛先に従って前記ポート制御部の他のいずれかのものへ送出し、故障が生じたときに故障検出信号を出力するスイッチング回路と、
前記ポート制御部それぞれに設けられ、プロトコルに従いデータを出力するプロトコル制御部と、
前記ポート制御部それぞれに設けられたＬＩＰ出力部と、
前記ポート制御部それぞれにおいて前記スイッチング回路もしくは前記プロトコル制御部から出力されたデータ、前記ＬＩＰ出力部が出力するＬＩＰプリミティブまたは前段の前記ポート制御部が前記入力用ファイバチャネルから入力したデータのいずれかを選択して前記出力用ファイバチャネルへ出力するセレクタと、
前記ポート制御部それぞれにおいて、通常は前記セレクタに前記スイッチング回路または前記プロトコル制御部から出力されたデータを選択させて前記出力用ファイバチャネルへ出力させ、前記ポート制御部のいずれかのものからの前記故障検出信号または前記スイッチング回路からの前記故障検出信号を入力したときに、前記セレクタに前記ＬＩＰ出力部が出力するＬＩＰプリミティブを選択させて前記出力用ファイバチャネルへ出力させ、前段の前記ポート制御部が前記入力用ファイバチャネルからＬＩＰプリミティブを入力してから、前記セレクタに前段の前記ポート制御部が前記入力用ファイバチャネルから入力したデータを選択させて前記出力用ファイバチャネルへ出力させる切り替え制御部とを含むことを特徴とするファイバチャネルスイッチ装置の故障回避回路。
【請求項４】
複数のノードと、
ループをなすように関係づけられた複数段のポート制御部それぞれが前記複数のノードそれぞれに対応して接続され、通常は前記ノードのいずれかから対応する前記ポート制御部に入力したデータを当該データ内に示された宛先に従ってスイッチング回路を用いて前記ポート制御部の他のいずれかを通して対応する前記ノードへ出力するスイッチングハブとを備えたネットワークの故障回避回路において、
前記ポート制御部のいずれかのものまたは前記スイッチング回路に故障が生じたときに、前記ポート制御部それぞれにおいて、対応する前記ノードを初期化させ、前段のポート制御部に対応する前記ノードが初期化されてから、前段の前記ポート制御部が対応する前記ノードから入力したデータを対応する前記ノードへ送出させる切り替え制御部を含むことを特徴とするネットワークの故障回避回路。
【請求項５】
複数のノードと、
ループをなすように関係づけられた複数段のポート制御部それぞれがファイバチャネルを介して前記複数のノードそれぞれに対応して接続され、通常は前記ノードのいずれかから対応する前記ポート制御部に入力したデータを当該データ内に示された宛先に従ってスイッチング回路を用いて前記ポート制御部の他のいずれかを通して対応する前記ノードへ出力するファイバチャネルスイッチとを備えたネットワークの故障回避回路において、
前記ポート制御部のいずれかのものまたは前記スイッチング回路に故障が生じたときに、前記ポート制御部それぞれにおいて、対応する前記ノードにファイバチャネルを介してＬＩＰプリミティブを送出し、前段のポート制御部が対応する前記ノードからファイバチャネルを介してＬＩＰプリミティブを入力したならば、前段の前記ポート制御部が対応する前記ノードからファイバチャネルを介して入力したデータを対応する前記ノードへファイバチャネルを介して送出させる切り替え制御部を含むことを特徴とするネットワークの故障回避回路。
【請求項６】
通常は、ループをなすように関係づけられた複数段のポート制御部それぞれが対応して接続された外部のノードから入力したデータをスイッチング回路へ出力し前記スイッチング回路から入力したデータを前記ノードへ出力し、前記スイッチング回路は前記ポート制御部のいずれかから入力したデータを当該データ内に示された宛先に従って前記ポート制御部の他のいずれかのものへ送出し、
前記ポート制御部のいずれかのものまたは前記スイッチング回路に故障が生じたときには、前記ポート制御部それぞれにおいて、対応する前記ノードを初期化させ、前段の前記ポート制御部に対応する前記ノードが初期化されてから、前段の前記ポート制御部が前記ノードから入力したデータを対応する前記ノードへ出力させることを特徴とするスイッチングハブ装置の故障回避方法。
【請求項７】
通常は、ループをなすように関係づけられた複数段のポート制御部それぞれが入力用ファイバチャネルから入力したデータをスイッチング回路へ出力し前記スイッチング回路から入力したデータを出力用ファイバチャネルへ出力し、前記スイッチング回路は前記ポート制御部のいずれかから入力したデータを当該データ内に示された宛先に従って前記ポート制御部の他のいずれかのものへ送出し、
前記ポート制御部のいずれかのものまたは前記スイッチング回路に故障が生じたときには、前記ポート制御部それぞれにおいて、前記出力用ファイバチャネルへＬＩＰプリミティブを出力し前段の前記ポート制御部が前記入力用ファイバチャネルからＬＩＰプリミティブを入力してから、前段の前記ポート制御部が前記入力用ファイバチャネルから入力したデータを前記出力用ファイバチャネルへ出力させることを特徴とするファイバチャネルスイッチ装置の故障回避方法。
【発明の詳細な説明】
【技術分野】
【０００１】
本発明は、スイッチングハブ装置およびネットワークの故障回避回路および方法に関し、特にファイバチャネルアービトレイティッドループ（ＦＣ−ＡＬ）仕様のファイバチャネルスイッチ装置において内部故障を検出した場合に動作不能となることを回避して運用継続を可能とする故障回避回路および方法に関する。
【背景技術】
【０００２】
ファイバチャネルスイッチ装置は、外部のノードに接続される複数のポート制御部をスイッチング回路に接続し、スイッチング回路でポート制御部相互の接続を切り替えている。このようなポート制御部に接続された複数のノード間の接続を切り替えることにより、ファイバチャネルスイッチ装置は、複数のノードとネットワークを構成する。
【０００３】
従来のファイバチャネルスイッチ装置は、内部で故障が発生した場合、その故障がスイッチング回路等の各ポートの共有部であれば装置閉塞し、その故障が各ポート制御部に独立した故障であればポート閉塞といった処理を行っていた。
【０００４】
特許文献１の特開２００２−３３７５５号公報には、スイッチングハブとして動作するスイッチングハブ動作部と、リピータハブとして動作するリピータハブ部と、スイッチングハブ動作部とリピータ動作部の動作を切り替えるリピータ／スイッチ切り替え部とを設けたイーサネット（登録商標）スイッチングハブが示されている。リピータハブ動作部としては、リピータ用共有バスが用いられ、外部の機器と接続される複数のインターフェイス部がリピータ/スイッチ切り替え部を介してリピータ用共有バスに接続されている。このイーサネット（登録商標）スイッチングハブは、内部の異常温度を検出したときや、予め設定しておいたスケジュールに従ったときに、スイッチングハブ動作部を停止させ、これに替えてリピータハブ動作部を動作させる。
【０００５】
もっとも、このイーサネット（登録商標）スイッチングハブは、スイッチングハブ動作部を停止させるのとともに、スイッチングハブ動作部への電源供給を停止して消費電力を低減することを目的とし、故障時の動作不能を回避することを目的とする本願発明とは、目的が異なっている。
【０００６】
【特許文献１】特開２００２−３３７５５号公報（請求項１〜３、図１）
【発明の開示】
【発明が解決しようとする課題】
【０００７】
従来のファイバチャネルスイッチ装置では、装置の共有部であるスイッチング回路等が故障した場合は、装置閉塞により動作不可能になり、ファイバチャネルスイッチ装置に接続されたネットワークは使用不可能になった。またファイバチャネル装置のポート制御部で故障が発生した場合は、ポート閉塞により少なくともそのポートと接続されている装置とは通信ができなくなってしまうという問題があった。
【課題を解決するための手段】
【０００８】
請求項１に係る発明のスイッチングハブの故障回避回路は、ループをなすように関係づけられた複数段のものそれぞれが対応して接続された外部のノードに対しデータを入出力するポート制御部（図１の３）と、
前記ノードから前記ポート制御部のいずれかを通して入力したデータを当該データ内に示された宛先に従って前記ポート制御部の他のいずれかのものへ送出するスイッチング回路（図１の２）と、
前記ポート制御部それぞれにおいて、通常は前記スイッチング回路から送出されたデータを対応する前記ノードへ出力させ、前記ポート制御部のいずれかのものまたは前記スイッチング回路に故障が生じたときに対応する前記ノードを初期化させ、前段の前記ポート制御部に対応する前記ノードが初期化されてから、前段の前記ポート制御部が前記ノードから入力したデータを対応する前記ノードへ出力させる切り替え制御部（図１の３４）とを含むことを特徴とする。
【０００９】
請求項２に係る発明のスイッチングハブの故障回避回路は、ループをなすように関係づけられた複数段のものそれぞれが入力用ファイバチャネルからデータを入力し、出力用ファイバチャネルへデータを出力するポート制御部（図１の３）と、
前記入力用ファイバチャネルから前記ポート制御部のいずれかを通して入力したデータを当該データ内に示された宛先に従って前記ポート制御部の他のいずれかのものへ送出するスイッチング回路（図１の２）と、
前記ポート制御部それぞれにおいて、通常は前記スイッチング回路から送出されたデータを前記出力用ファイバチャネルへ出力させ、前記ポート制御部のいずれかのものまたは前記スイッチング回路に故障が生じたときに、前記出力用ファイバチャネルへＬＩＰプリミティブを出力し前段の前記ポート制御部が前記入力用ファイバチャネルからＬＩＰプリミティブを入力してから前段の前記ポート制御部が前記入力用ファイバチャネルから入力したデータを前記出力用ファイバチャネルへ出力させる切り替え制御部（図１の３４）とを含むことを特徴とする。
【００１０】
請求項３に係る発明のスイッチングハブの故障回避回路は、ループをなすように関係づけられた複数段のものそれぞれが入力用ファイバチャネルからデータを入力し、出力用ファイバチャネルへデータを出力し、故障が生じたときに故障検出信号を出力するポート制御部（図１の３）と、
前記入力用ファイバチャネルから前記ポート制御部のいずれかを通して入力したデータを当該データ内に示された宛先に従って前記ポート制御部の他のいずれかのものへ送出し、故障が生じたときに故障検出信号を出力するスイッチング回路（図１の２）と、
前記ポート制御部それぞれに設けられ、プロトコルに従いデータを出力するプロトコル制御部（図２の３２）と、
前記ポート制御部それぞれに設けられたＬＩＰ出力部（図２の３９）と、
前記ポート制御部それぞれにおいて前記スイッチング回路もしくは前記プロトコル制御部から出力されたデータ、前記ＬＩＰ出力部が出力するＬＩＰプリミティブまたは前段の前記ポート制御部が前記入力用ファイバチャネルから入力したデータのいずれかを選択して前記出力用ファイバチャネルへ出力するセレクタ（図１の３８）と、
前記ポート制御部それぞれにおいて、通常は前記セレクタに前記スイッチング回路または前記プロトコル制御部から出力されたデータを選択させて前記出力用ファイバチャネルへ出力させ、前記ポート制御部のいずれかのものからの前記故障検出信号または前記スイッチング回路からの前記故障検出信号を入力したときに、前記セレクタに前記ＬＩＰ出力部が出力するＬＩＰプリミティブを選択させて前記出力用ファイバチャネルへ出力させ、前段の前記ポート制御部が前記入力用ファイバチャネルからＬＩＰプリミティブを入力してから、前記セレクタに前段の前記ポート制御部が前記入力用ファイバチャネルから入力したデータを選択させて前記出力用ファイバチャネルへ出力させる切り替え制御部（図１の３４）とを含むことを特徴とする。
【００１１】
請求項４に係る発明のネットワークの故障回避回路は、複数のノードと、
ループをなすように関係づけられた複数段のポート制御部（図１の３）それぞれが前記複数のノードそれぞれに対応して接続され、通常は前記ノードのいずれかから対応する前記ポート制御部に入力したデータを当該データ内に示された宛先に従ってスイッチング回路（図１の２）を用いて前記ポート制御部の他のいずれかを通して対応する前記ノードへ出力するスイッチングハブ（図１の１）とを備えたネットワークの故障回避回路において、
前記ポート制御部のいずれかのものまたは前記スイッチング回路に故障が生じたときに、前記ポート制御部それぞれにおいて、対応する前記ノードを初期化させ、前段のポート制御部に対応する前記ノードが初期化されてから、前段の前記ポート制御部が対応する前記ノードから入力したデータを対応する前記ノードへ送出させる切り替え制御部（図１の３４）を含むことを特徴とする。
【００１２】
請求項５に係る発明のネットワークの故障回避回路は、複数のノードと、
ループをなすように関係づけられた複数段のポート制御部（図１の３）それぞれがファイバチャネルを介して前記複数のノードそれぞれに対応して接続され、通常は前記ノードのいずれかから対応する前記ポート制御部に入力したデータを当該データ内に示された宛先に従ってスイッチング回路（図１の２）を用いて前記ポート制御部の他のいずれかを通して対応する前記ノードへ出力するファイバチャネルスイッチ（図１の１）とを備えたネットワークの故障回避回路において、
前記ポート制御部のいずれかのものまたは前記スイッチング回路に故障が生じたときに、前記ポート制御部それぞれにおいて、対応する前記ノードにファイバチャネルを介してＬＩＰプリミティブを送出し、前段のポート制御部が対応する前記ノードからファイバチャネルを介してＬＩＰプリミティブを入力したならば、前段の前記ポート制御部が対応する前記ノードからファイバチャネルを介して入力したデータを対応する前記ノードへファイバチャネルを介して送出させる切り替え制御部（図１の３４）を含むことを特徴とする。
【００１３】
請求項６に係る発明のスイッチングハブの故障回避方法は、通常は、ループをなすように関係づけられた複数段のポート制御部（図１の３）それぞれが対応して接続された外部のノードから入力したデータをスイッチング回路（図１の２）へ出力し前記スイッチング回路から入力したデータを前記ノードへ出力し、前記スイッチング回路は前記ポート制御部のいずれかから入力したデータを当該データ内に示された宛先に従って前記ポート制御部の他のいずれかのものへ送出し、
前記ポート制御部のいずれかのものまたは前記スイッチング回路に故障が生じたときには、前記ポート制御部それぞれにおいて、対応する前記ノードを初期化させ、前段の前記ポート制御部に対応する前記ノードが初期化されてから、前段の前記ポート制御部が前記ノードから入力したデータを対応する前記ノードへ出力させることを特徴とする。
【００１４】
請求項７に係る発明のスイッチングハブの故障回避方法は、通常は、ループをなすように関係づけられた複数段のポート制御部（図１の３）それぞれが入力用ファイバチャネルから入力したデータをスイッチング回路（図１の２）へ出力し前記スイッチング回路から入力したデータを出力用ファイバチャネルへ出力し、前記スイッチング回路は前記ポート制御部のいずれかから入力したデータを当該データ内に示された宛先に従って前記ポート制御部の他のいずれかのものへ送出し、
前記ポート制御部のいずれかのものまたは前記スイッチング回路に故障が生じたときには、前記ポート制御部それぞれにおいて、前記出力用ファイバチャネルへＬＩＰプリミティブを出力し前段の前記ポート制御部が前記入力用ファイバチャネルからＬＩＰプリミティブを入力してから、前段の前記ポート制御部が前記入力用ファイバチャネルから入力したデータを前記出力用ファイバチャネルへ出力させることを特徴とする。
【発明の効果】
【００１５】
本発明のスイッチングハブ装置の故障回避回路は、スイッチングハブ装置の内部に故障が生じた場合でも、スイッチング回路を通さずにポート制御部相互間でデータを送るようにすることにより、装置閉塞あるいはポート閉塞を行わずネットワークの継続運用を可能にする効果がある。
【発明を実施するための最良の形態】
【００１６】
次に、本発明を実施するための最良の形態について図面を参照して詳細に説明する。
【００１７】
図１は本発明の実施の形態のファイバチャネルスイッチ装置１を示すブロック図である。
【００１８】
ファイバチャネルスイッチ装置１は、４ポートを備え、ポート制御部３−０、３−１、３−２、３−３が設けられている。これらのポート制御部３−０、３−１、３−２、３−３は、それぞれに対応して接続された外部のノードであるサーバ装置、クライアント装置等（図示略）から入力したフレームをスイッチング回路２へ送出する。スイッチング回路２は各ポート制御部３−０、３−１、３−２、３−３から入力されたフレームを、フレームに含まれる宛先を示すＤ＿ＩＤ（ドメイン識別標識）に従ってポート制御部３−０、３−１、３−２、３−３のいずれかへ出力する。
【００１９】
スイッチング回路２が出力したフレームは、ポート制御部３−０、３−１、３−２、３−３それぞれにおいて、セレクタ３８−０、３８−１、３８−２、３８−３に入力される。
【００２０】
スイッチング回路２およびポート制御部３−０、３−１、３−２、３−３それぞれは、故障を検出すると、故障検出信号４を出力する。各ポート制御部３−０、３−１、３−２、３−３に設けられた切り替え制御部３４−０、３４−１、３４−２、３４−３へ故障検出信号４が通知される。
【００２１】
図２は、ポート制御部３の詳細を示したブロック図である。
【００２２】
図２において、Ｉ／Ｆ変換部３６は、図示していないサーバ装置やクライアント装置等の外部のノードからファイバチャネルを介して送られてくるインタフェース入力信号を装置内で使用する信号（例えば電気的なパラレル信号）に変換するものである。また、Ｉ／Ｆ変換部３５は装置内信号をファイバチャネル信号に変換して外部のノードに対し出力するものである。
【００２３】
プロトコル制御部３２は、ファイバチャネルからの入力をＩ／Ｆ変換部３６を介して受け、ファイバチャネルのプロトコルに従いプリミティブ等の出力を行うものである。フレーム受信制御部３３はファイバチャネルから入力されたフレームを抽出しスイッチング回路２へ出力するもので、フレーム送信制御部３１はスイッチング回路２からの入力に対し出力フロー制御を行いながらファイバチャネルインタフェースへフレームを出力するものである。
【００２４】
フレーム送信制御部３１、プロトコル制御部３２、フレーム受信制御部３３それぞれは、内部で故障を検出するとポート制御部故障検出信号４により故障検出を通知する。
【００２５】
次に、ポート制御部３に設けた切り替え制御部３４、セレクタ３８およびＬＩＰ（ループ初期化プロトコル）出力部３９の動作を図３に示すタイムチャートを使用して説明する。
【００２６】
故障検出信号４が出力されていない通常時には、セレクタ３８は、フレーム送信制御部３１を介してスイッチング回路２か送られてくるフレーム、またはプロトコル制御部３２から出力されるプリミティブ等を選択して、Ｉ／Ｆ変換部３５を介してファイバチャネルへ出力する。
【００２７】
故障検出信号４により故障検出が通知されると、切り替え制御部３４は、以下の動作を始める（ステップ１００）。
【００２８】
ＬＩＰ出力部３９が出力するＬＩＰプリミティブをセレクタ３８に選択させ、ファイバチャネルインタフェースへの出力をＬＩＰプリミティブに変更する（ステップ１０１）。ＬＩＰプリミティブは当該ポート制御部３に対応して接続されたサーバ装置等のノードに送られ、そのノードを初期化し、当該ポート制御部３へ戻されてくる。
【００２９】
前段のポート制御部３（図１に示すように各ポート制御部３のポート番号を０、１、２、３とした場合に、自ポート番号がｎであれば、前段のポート番号はｎ−１である。ただしｎ＝０の場合は、前段のポート番号は３となる。）のファイバチャネルからの入力がＬＩＰプリミティブになったらば（ステップ１０２）、セレクタ３８に前段のポート制御部３のファイバチャネルからの入力を選択させ、ファイバチャネルインタフェースへの出力を前段ポートの入力に切り替える（ステップ１０３）。すなわち、前段ポートの接続先のノードが初期化されたことを確認後、前段ポートに接続されたノードの出力を自ポートの接続先のノードへ送出することとなる。
【００３０】
故障検出信号４は、全てのポート制御部３−０、３−１、３−２、３−３に出力され、切り替え制御部３４−０、３４−１、３４−２、３４−３による上述の動作が全てのポート制御部３−０、３−１、３−２、３−３で行われる。従って、ポート制御部３−０、３−１、３−２、３−３の接続先の全てのノードが初期化された後にポート制御部３−０、３−１、３−２、３−３を介してループ状に接続され、フレームが前段のポートから自ポートへ送られ、自ポートから後段のポートへ送られるようになる。
【００３１】
このようにポート制御部３−０、３−１、３−２、３−３を介してループ状に接続されて、いずれかのノードから出力されたフレームは、次の段のノードへ送出されるが、この次の段のノードがフレームの有する宛先アドレスの示すものでなければ、そのノードから接続元のポート制御部３に戻され、更に次の段のノードに送出される。一方、ノードに送出されたフレームの有する宛先アドレスと、そのノードのアドレスとが一致すれば、そのノードは送られてきたフレームを取り込む。従って、いずれかのノードから出力されたフレームは、最終的にはそのフレームの有する宛先アドレスの示すノードへ送り込まれることとなる。
【００３２】
上述のように本実施の形態のファイバチャネルスイッチは、スイッチング回路２が故障しても継続運用が可能である。また、ポート制御部３内のＩ／Ｆ変換部３５、３６、切り替え制御部３４、セレクタ３８、ＬＩＰ出力部３９を除く、フレーム制御部３１、プロトコル制御部３２またはフレーム制御部３３に故障が生じても継続運用が可能である。
【００３３】
なお、本発明は光信号の送信に用いられるファイバチャネルスイッチに限られず、電気信号の送信に用いられるスイッチングハブにも適用可能である。
【産業上の利用可能性】
【００３４】
複数のノード相互の接続、切り離しの切り替えを可能とし、ネットワークを構成するためのスイッチングハブに利用できる。
【図面の簡単な説明】
【００３５】
【図１】本発明の実施の形態のファイバチャネルスイッチ装置のブロック図である。
【図２】図１中のポート制御部３の詳細なブロック図である。
【図３】図２中の切り替え制御部３４の動作を示すフローチャートである。
【符号の説明】
【００３６】
１    ファイバチャネルスイッチ装置
２    スイッチング回路
３、３−０、３−１、３−２、３−３    ポート制御部
４    故障検出信号
３１    フレーム送信制御部
３２    プロトコル制御部
３３    フレーム受信制御部
３４、３４−０、３４−１、３４−２、３４−３    切り替え制御部
３５    Ｉ／Ｆ変換部
３６    Ｉ／Ｆ変換部
３８、３８−０、３８−１、３８−２、３８−３    セレクタ
３９    ＬＩＰ出力部
【図１】
2005210166.tif 000003
【図２】
2005210166.tif 000004
【図３】
2005210166.tif 000005